(57)【要約】      （修正有）【課題】体格差ないし体型差に関わらず、フィット性に優れたヒータ付き衣服を提供する。【解決手段】ヒータ付き衣服１は、断熱性及び伸縮性を有する後見頃２と、同じく断熱性及び伸縮性を有し、肩部６を介して後見頃に連結される左右の前身頃７と、後見頃及び前見頃の少なくとも一方の内面側に設けられるヒータとを備え、後見頃の胴部３及び前見頃の胴部８の少なくとも一方は、他方側に延びる延在部４を備え、延在部による後見頃の胴部と前見頃の胴部との重ね合わせ部は、着脱自在で胴回りのサイズ調整を可能とする接合部５，９を備え、左右の前見頃の対向縁部に、ファスナを備える。【選択図】図６
0003220578.tif 000002
【実用新案登録請求の範囲】
【請求項１】
断熱性及び伸縮性を有する後見頃と、
同じく断熱性及び伸縮性を有し、肩部を介して前記後見頃に連結される左右の前身頃と、
前記後見頃及び前記前見頃の少なくとも一方の内面側に設けられるヒータとを備え、
前記後見頃の胴部及び前記前見頃の胴部の少なくとも一方は、他方側に延びる延在部を備え、
前記延在部による前記後見頃の前記胴部と前記前見頃の前記胴部との重ね合わせ部は、着脱自在で胴回りのサイズ調整を可能とする接合部を備え、
前記左右の前見頃の対向縁部は、ファスナを備える
ヒータ付き衣服。
【請求項２】
前記接合部は、前記胴部の高さ方向全長に亘って設けられる
請求項１に記載のヒータ付き衣服。
【請求項３】
前記延在部は、前記後見頃の前記胴部に設けられる
請求項１又は２に記載のヒータ付き衣服。
【請求項４】
前記後見頃及び前記前見頃は、ラバースポンジとジャージを貼り合わせた素材からなる表地と、裏地とを備え、
前記表地と前記裏地との間に、電源コードが配線される
請求項１ないし３のいずれか１項に記載のヒータ付き衣服。
【請求項５】
前記ヒータは、基布にコードヒータを所定のパターン形状に配置して縫合したものであり、
前記ヒータの端子線と電源コードの端子線とは、圧着スリーブでかしめられて接続され、
前記ヒータの前記端子線、前記電源コードの前記端子線及び前記圧着スリーブの各金属部分が当て布で被覆される
請求項１ないし４のいずれか１項に記載のヒータ付き衣服。
【考案の詳細な説明】
【技術分野】
【０００１】  本考案は、ヒータ付き衣服に関する。
【背景技術】
【０００２】  ヒータ付き衣服としては、特許文献１に記載されたものが知られている。かかるヒータ付き衣服は、前身頃の中心が分離されてスライドファスナにより開閉自在となっている衣服の後見頃の適所にヒータを配置したもので、ヒータの電源のバッテリは、衣服のポケットに収容される。
【先行技術文献】
【特許文献】
【０００３】
【特許文献１】特開２００６−２０７０９９号公報
【考案の概要】
【考案が解決しようとする課題】
【０００４】  しかしながら、衣服はサイズごとに提供され、サイズの種類は限られているため、使用者は、自分の体格に合うサイズの衣服を選ぶとしても、その衣服は自分の体に完全にフィットするものではない。そうすると、たとえば衣服の裾と自分の体との間に隙間が生じ、ここからヒータの熱が逃げることもあり、保温性が損なわれるという問題がある。【０００５】  そこで、本考案は、かかる事情に鑑みてなされたもので、体格差ないし体型差に関わらず、フィット性に優れたヒータ付き衣服を提供することを課題とする。
【課題を解決するための手段】
【０００６】  本考案に係るヒータ付き衣服は、
断熱性及び伸縮性を有する後見頃と、
同じく断熱性及び伸縮性を有し、肩部を介して後見頃に連結される左右の前身頃と、
後見頃及び前見頃の少なくとも一方の内面側に設けられるヒータとを備え、
後見頃の胴部及び前見頃の胴部の少なくとも一方は、他方側に延びる延在部を備え、
延在部による後見頃の胴部と前見頃の胴部との重ね合わせ部は、着脱自在で胴回りのサイズ調整を可能とする接合部を備え、
左右の前見頃の対向縁部は、ファスナを備える。【０００７】  かかる構成によれば、後見頃が体の背面に、左右の前身頃が体の正面になるように肩部を体の肩にかけ、胴回りにフィットするように後見頃の胴部と前見頃の胴部とを重ね合わせて接合し、左右の前身頃をファスナで閉じて、衣服を着用する。ゆるかったりきつかったりする場合は、後見頃の胴部及び前見頃の胴部の重ね合わせ部の接合を一旦解いて調整しなおす。この調整が効くことと、衣服が伸縮性を有することで、衣服を自分の体にフィットさせることができる。そして、衣服が自分の体にフィットすると、衣服が断熱性を有することと相まって、ヒータの熱は衣服から漏れ出にくくなる。したがって、保温性が非常に優れた衣服となる。【０００８】  ここで、本考案に係るヒータ付き衣服の一態様として、
接合部は、胴部の高さ方向全長に亘って設けられる
との構成を採用することができる。【０００９】  かかる構成によれば、隙間のない胴回り部を形成することができ、フィット性の向上、ひいては保温性の向上を図ることができる。【００１０】  また、本考案に係るヒータ付き衣服の他態様として、
延在部は、後見頃の胴部に設けられる
との構成を採用することができる。【００１１】  かかる構成によれば、後見頃の胴部の延在部を体の胴回りに沿わせた状態で、体の側腹部の箇所で前見頃の胴部を後見頃の胴部に接合させる装着方法となる。あるいは、先に、前身頃の胴部を体に沿わせた状態で、体の側腹部の箇所で後見頃の胴部の延在部を前見頃の胴部に接合させる装着方法となる。衣服は肩部にて人の肩にかかったままずれ落ちることはないこともあって、一人でも胴回りのサイズ調整を簡単に行うことができる。【００１２】  また、本考案に係るヒータ付き衣服の別の態様として、
後見頃及び前見頃は、ラバースポンジとジャージを貼り合わせた素材からなる表地と、裏地とを備え、
表地と裏地との間に、電源コードが配線される
との構成を採用することができる。【００１３】  かかる構成によれば、フィット性及び断熱性、ひいては保温性に優れ、しかも、電源コードがあっても、着用時に気にならない。【００１４】  また、本考案に係るヒータ付き衣服のさらに別の態様として、
ヒータは、基布にコードヒータを所定のパターン形状に配置して縫合したものであり、
ヒータの端子線と電源コードの端子線とは、圧着スリーブでかしめられて接続され、
ヒータの端子線、電源コードの端子線及び圧着スリーブの各金属部分が当て布で被覆される
との構成を採用することができる。【００１５】  かかる構成によれば、ヒータ付き衣服が人の体の動きによって頻繁に変形させられても、ヒータが損傷することはなく、高い耐久性を実現することができる。
【考案の効果】
【００１６】  以上の如く、本考案に係るヒータ付き衣服によれば、体格差ないし体型差に関わらず、フィット性に優れ、ひいては保温性に優れた衣服とすることができる。
【図面の簡単な説明】
【００１７】
【図１】図１は、本発明の一実施形態に係るヒータ付き衣服の展開外面図である。
【図２】図２は、同ヒータ付き衣服の展開内面図である。
【図３】図３（ａ）は、左右の前身頃を前に折った状態の同ヒータ付き衣服の正面図であり、図３（ｂ）は、後見頃の胴部の左右の延在部を後見頃の胴部と左右の前見頃の胴部との間に折った状態の同ヒータ付き衣服の正面図である。
【図４】図４は、ヒータ部分における衣服の断面図である。
【図５】図５は、ヒータの正面図である。
【図６】図６は、後見頃の胴部と前見頃の胴部とを重ね合わせて接合する前の状態の使用状態図である。
【図７】図７は、後見頃の胴部と前見頃の胴部とを重ね合わせて接合して、衣服を着用した状態の使用状態図である。
【考案を実施するための形態】
【００１８】  以下、本考案に係るヒータ付き衣服の一実施形態について、図１ないし図７を参酌して説明する。
【００１９】  図１ないし図３に示す如く、本実施形態に係るヒータ付き衣服１は、袖のないベストの形態であり、断熱性及び伸縮性を有する後見頃２と、同じく断熱性及び伸縮性を有し、肩部６を介して後見頃２に連結される左右の前身頃７，７と、後見頃２の内面側に設けられるヒータ２０とを備える。
【００２０】  後見頃２の胴部３は、横方向に延びる延在部４を備える。延在部４は、所定の高さ寸法を有して略矩形状に延出する。延在部４の外面には、接合部としての面ファスナ（のループ）５が全面的に設けられる（ドットを付した領域）。他方、それぞれ前見頃７の胴部８の後見頃側端部８ａの内面には、接合部としての面ファスナ（のフック）９が高さ方向全長に亘って帯状に設けられる（ドットを付した領域）。また、それぞれ前見頃７の胴部８の対向縁部８ｂには、スライドファスナ１０が設けられる。
【００２１】  ヒータ２０は、本実施形態においては、人の背中に対応する部位と、腰に対応する部位の合計三箇所に配置される。ヒータ２０には、電源コード（図示しない）が接続され、電源コードの端子２２ｂにバッテリ２４が接続される。バッテリ２４は、前見頃７に設けられたポケット１１に収容される。なお、ヒータ２０のスイッチ２３は、プッシュ式であり、前見頃７の胸部あたりに配置される。
【００２２】  図４に示す如く、後見頃２及び前見頃７，７は、ネオプレンやクロロプレンのラバースポンジ１３の両面にジャージ１４，１４を貼り合わせた（ラバースポンジ１３の表側の片面だけにジャージ１４を貼り合わせるようにしてもよい。）素材（ウェットスーツ等で用いられるのと同じ素材）からなる表地１２と、ベロア、ボア、フランネル、フリースといった冬用の素材からなる裏地１５とを適宜の箇所で縫合したものである。表地１２の内面に、ヒータ２０が配置され、表地１２と裏地１５との間に、電源コード２２が配線される。
【００２３】  図５に示す如く、ヒータ２０は、コードヒータであり、基布２５に所定のパターン形状（本実施形態においては、蛇行状であるが、らせん状等、他のパターンであってもよい。）に配置して縫合２６される。ヒータ２０の端子線２０ａと電源コード２２の端子線２２ａとは、圧着スリーブ２１でかしめられて接続され、さらに、ヒータ２０の端子線２０ａ、電源コード２２の端子線２２ａ及び圧着スリーブ２１の各金属部分が当て布２７で被覆される。
【００２４】  本実施形態に係るヒータ付き衣服１は、以上の構成からなり、次に、使用方法について、図６及び図７を参酌して説明する。
【００２５】  まず、図６に示す如く、後見頃２が体の背面に、左右の前身頃７，７が体の正面になるように肩部６，６を体の肩にかける。そして、後見頃２の胴部３の延在部４，４を体の胴回りに沿わせてから、図７に示す如く、体の側腹部の箇所で前見頃７，７の胴部８，８を後見頃２の胴部３の延在部４，４に重ね合わせる。そうすると、前身頃７，７の胴部８，８の面ファスナ９，９が後見頃２の胴部３の延在部４，４の面ファスナ５，５に接合する。そして、左右の前身頃７，７をファスナ１０で閉じて、衣服１を着用する。
【００２６】  胴回りのサイズがゆるかったりきつかったりする場合は、図６に示す如く、後見頃２の胴部３の左側及び／又は右側の延在部４の面ファスナ５と左側及び／又は右側の前見頃７の胴部８の面ファスナ９の接合を一旦解いて調整しなおす。この調整が効くことと、衣服１が伸縮性を有することで、衣服１を自分の体にフィットさせることができる。
【００２７】  そして、衣服１が自分の体にフィットすると、衣服１が断熱性を有することと相まって、ヒータ２０の熱は衣服から漏れ出にくくなる。したがって、保温性が非常に優れた衣服１となる。
【００２８】  また、胴回りのサイズ調整時は、前見頃７の胴部８の面ファスナ９を着脱させるだけで済み、その箇所は、体の側腹部の箇所であるので、やりやすく、また、衣服１は、肩部６にて人の肩にかかったままずれ落ちることはない。このため、人の手を借りることなく、一人でも胴回りのサイズ調整を簡単に行うことができる。
【００２９】  また、面ファスナ５，５は、後見頃２の胴部３の延在部４，４の高さ方向全長に亘って設けられるとともに、胴回り方向に所定の幅領域に亘って設けられ、面ファスナ９，９も、前見頃７，７の胴部８，８の高さ方向全長に亘って設けられることにより、隙間が全くない胴回り部を形成することができ、フィット性の向上、ひいては保温性の向上を図ることができる。
【００３０】  なお、本考案に係るヒータ付き衣服は、上記実施形態に限定されるものではなく、本考案の要旨を逸脱しない範囲で種々の変更が可能である。
【００３１】  例えば、上記実施形態においては、ヒータ２０は後見頃２に設けた。しかし、ヒータ２０は、前見頃７にも設けてもよいし、あるいは、前身頃７だけに設けてもよい。また、ヒータ２０の数も特に限定されない。
【００３２】  また、上記実施形態においては、延在部４は後見頃２に設けた。しかし、延在部４は、前見頃７にも設けてもよいし、あるいは、前身頃７だけに設けてもよい。
【００３３】  また、上記実施形態においては、それぞれ前身頃７の胴部８は、後見頃２の胴部３と分離され、面ファスナ５，９で接合するものであった。しかし、一方の前身頃７の胴部８は、後見頃２の胴部３と一体的に連結されており、他方の前身頃７の胴部８を後見頃２の胴部３に接合する構造であってもよい。
【符号の説明】
【００３４】  １…ヒータ付き衣服、２…後見頃、３…胴部、４…延在部、５…面ファスナ（ループ）、６…肩部、７…前見頃、８…胴部、８ａ…後見頃側端部、８ｂ…対向縁部、９…面ファスナ（フック）、１０…スライドファスナ、１１…ポケット、１２…表地、１３…ラバースポンジ、１４…ジャージ、１５…裏地、２０…ヒータ、２０ａ…端子線、２１…圧着スリーブ、２２…電源コード、２２ａ…端子線、２２ｂ…端子、２３…スイッチ、２４…バッテリ、２５…基布、２６…縫合、２７…当て布
【図１】
0003220578.tif 000003
【図２】
0003220578.tif 000004
【図３】
0003220578.tif 000005
【図４】
0003220578.tif 000006
【図５】
0003220578.tif 000007
【図６】
0003220578.tif 000008
【図７】
0003220578.tif 000009